(57)【要約】【課題】郵便受け本体内に雨水が浸水するのを防ぐことができる上に、雨水がフラップに付着するのをできる限り防いで、郵便物を濡れにくくすることができる郵便受けを提供する。【解決手段】本発明の郵便受け１は、箱状の郵便受け本体２と、口枠部４とを備える。郵便受け本体２は、前面に前開口２５が設けられる。口枠部４の前端は投入口４５である。口枠部４は、郵便受け本体２の前開口２５の周囲から前方に向かって突出し、投入口４５が前開口２５に通じる。郵便受け本体２には、前開口２５を塞ぐフラップ３０が設けられている。【選択図】図４
2015186562.tif 000002
【特許請求の範囲】
【請求項１】
前面に前開口が設けられた箱状の郵便受け本体と、
前端が投入口であり、前記郵便受け本体の前記前開口の周囲から前方に向かって突出して前記投入口が前記前開口に通じる口枠部と
を備え、
前記郵便受け本体には、前記前開口を塞ぐフラップが設けられている
ことを特徴とする郵便受け。
【請求項２】
前記口枠部の内側の下部には、当該口枠部の左右方向の全長に亙って設けられた縦面部が設けられている
ことを特徴とする請求項１記載の郵便受け。
【請求項３】
前記縦面部と、前記口枠部の内側の底面との間には、水抜き用の隙間が形成されていることを特徴とする請求項２記載の郵便受け。
【請求項４】
前記縦面部が表札である
ことを特徴とする請求項２記載の郵便受け。
【請求項５】
前記口枠部の内側の上部で、且つ前記縦面部よりも前方には、当該縦面部に向かって発光する照明部が設けられている
ことを特徴とする請求項２乃至請求項４のいずれか一項に記載の郵便受け。
【請求項６】
前記照明部は、
前記口枠部の左右方向に平行な導光棒と、
この導光棒の左右方向の端面から光を入射させる光源と
を備え、
前記導光棒における前記縦面部に向く面が出射面である
ことを特徴とする請求項５記載の郵便受け。
【請求項７】
前記光源は、前記口枠部に熱的に接続され、これにより当該口枠部を介して放熱するように構成されている
ことを特徴とする請求項６記載の郵便受け。
【発明の詳細な説明】
【技術分野】
【０００１】
本発明は、郵便受けに関する。
【背景技術】
【０００２】
特許文献１には、従来の郵便受けが開示されている。この特許文献１記載の郵便受け（特許文献１では郵便受箱）は、郵便受箱本体と、この郵便受箱本体に取り付けられた口金とを備えている。郵便受本体には、前方に向かって突出する口金取り付け筒部が設けられる。口金は、この口金取り付け筒部に嵌合して取り付けられる。
【０００３】
口金の前端には、郵便物が投入される投入口が設けられている。投入口は、郵便受本体の口金取り付け筒部の内部に通じている。郵便物は、投入口に投入されると、投入口と口金取り付け筒部とを通って郵便受本体内に収容される。この口金には、投入口を開閉自在に塞ぐ投入口蓋が設けられている。
【先行技術文献】
【特許文献】
【０００４】
【特許文献１】実公平４−５１６４２号公報
【発明の概要】
【発明が解決しようとする課題】
【０００５】
ところで、この特許文献１記載の郵便受箱は、上記のように、投入口を塞ぐようにして投入口蓋が口金に設けられている。このため、降雨した場合には、投入口に浸水しようとする雨水が投入口蓋によって堰き止められ、これにより、大量の雨水が郵便受本体内に浸水するのが防止される。
【０００６】
しかしながら、この投入口蓋は口金に設けられているため、雨水に晒されやすく、前面に雨水が付着しやすい。このため、降雨した直後に郵便物が投入口に投入されると、投入口蓋に付着した雨水が郵便物を濡らしてしまいやすいという問題がある。
【０００７】
本発明は、上記事情に鑑みてなされたものであり、その目的とするところは、郵便受け本体内に雨水が浸水するのを防ぐことができる上に、雨水がフラップに付着するのをできる限り防いで、郵便物を濡れにくくすることができる郵便受けを提供することにある。
【課題を解決するための手段】
【０００８】
本発明の郵便受けは、前面に前開口が設けられた箱状の郵便受け本体と、前端が投入口であり、前記郵便受け本体の前記前開口の周囲から前方に向かって突出して前記投入口が前記前開口に通じる口枠部とを備え、前記郵便受け本体には、前記前開口を塞ぐフラップが設けられていることを特徴とする。
【０００９】
また、この郵便受けにおいて、前記口枠部の内側の下部には、当該口枠部の左右方向の全長に亙って設けられた縦面部が設けられていることが好ましい。
【００１０】
また、この郵便受けにおいて、前記縦面部と、前記口枠部の内側の底面との間には、水抜き用の隙間が形成されていることが好ましい。
【００１１】
また、この郵便受けにおいて、前記縦面部が表札であることが好ましい。
【００１２】
また、この郵便受けにおいて、前記口枠部の内側の上部で、且つ前記縦面部よりも前方には、当該縦面部に向かって発光する照明部が設けられていることが好ましい。
【００１３】
また、この郵便受けにおいて、前記照明部は、前記口枠部の左右方向に平行な導光棒と、この導光棒の左右方向の端面から光を入射させる光源とを備え、前記導光棒における前記縦面部に向く面が出射面であることが好ましい。
【００１４】
また、この郵便受けにおいて、前記光源は、前記口枠部に熱的に接続され、これにより当該口枠部を介して放熱するように構成されていることが好ましい。
【発明の効果】
【００１５】
本発明の郵便受けによれば、郵便受け本体内に雨水が浸水するのを防ぐことができる上に、雨水がフラップに付着するのをできる限り防ぐことができ、この結果、郵便物が濡れるのを防ぐことができる。
【図面の簡単な説明】
【００１６】
【図１】実施形態１の郵便受けの使用状態の正面図である。
【図２】実施形態１の郵便受けの斜視図である。
【図３】実施形態１の郵便受けの使用状態の断面図である。
【図４】実施形態１の郵便受けの口枠部近傍の断面図である
【図５】図４におけるＡ部分拡大図である。
【図６】図５におけるＸ−Ｘ線断面図である。
【図７】実施形態１の変形例の口枠部の断面図である。
【図８】実施形態１の更なる変形例の口枠部の断面図である。
【図９】実施形態２の郵便受けの使用状態の正面図である。
【発明を実施するための形態】
【００１７】
以下、本発明の実施形態について添付図面に基づいて説明する。
（実施形態１）
実施形態１の郵便受け１は、図１に示すように、住宅家屋の外構用の門柱９１に埋め込まれるようにして取り付けられる。本実施形態の外構は、いわゆるオープン外構である。なお、外構として、いわゆるクローズ外構が用いられてもよい。
【００１８】
郵便受け１は、図２に示すように、郵便受け本体２と、口枠部４とを備えている。郵便受け本体２は、天面部２１・一対の側面部２０・底面部２２・正面部２３・背面部２４を有する直方体状（ここで言う「直方体」は「立方体」を含む）の箱形をしている。
【００１９】
なお、以下においては、背面部２４から正面部２３に向かう方向を前方向（前方）とし、正面部２３から背面部２４に向かう方向を後方向（後方）として定義する。また、前後方向とは直角な水平方向を左右方向として定義する。
【００２０】
郵便受け本体２の正面部２３には、前開口２５が設けられている。前開口２５は、郵便受け本体２の正面部２３を貫通する。前開口２５は、左右方向に長さを有し、上下方向に幅を有し、正面視矩形状をしている。前開口２５の長さ方向の寸法は、郵便受け本体２の正面部２３の左右方向の長さよりもやや短く形成されている。
【００２１】
郵便受け本体２の背面部２４には、図３に示すように、取出し部２６が設けられている。取出し部２６は、郵便受け本体２の内部の郵便物を取り出すために設けられている。すなわち、ユーザーは、取出し部２６によって、郵便受け１に投函された郵便物を取り出すことができる。取出し部２６は、背面部２４を貫通する取出し開口２７と、取出し開口２
７を開閉自在に閉じる扉２８とを有している。取出し開口２７は、背面視矩形状をしている。扉２８の上端には、左右方向に突出する軸部２９が設けられている。軸部２９は、側面部２０に回転自在に支持される。これにより、扉２８は、前後方向に回動自在となっている。
【００２２】
扉２８は、取出し開口２７の後方に配置されており、後方に回転することで、取出し開口２７を開放させる。すなわち、取出し部２６は、扉２８が後方に回転すると、取出し開口２７が開き、扉２８が前方に回転すると（鉛直姿勢になると）、取出し開口２７が閉じる。
【００２３】
また、郵便受け本体２の前開口２５の後方には、フラップ３０が設けられている。フラップ３０は、前開口２５を開閉自在に塞ぐ。フラップ３０の中央には、前方に向かって突出する凸部３２が設けられている。凸部３２は前開口２５内に入り込む。凸部３２の前端は、フラップ３０が閉じた状態となると、郵便受け本体２の前面と面一となる。
【００２４】
フラップ３０は、左右方向に中心軸を有する回動軸３１によって支持される。回動軸３１は、一対の側面部２０に架け渡されるようにして取り付けられている。フラップ３０は、この回動軸３１に回転自在に支持されており、後方に回転することで前開口２５を開き、前方に回転することで前開口２５を閉じる。
【００２５】
またフラップ３０は、前方に向かって付勢する付勢手段（図示せず）を有している。付勢手段は、例えば、コイルばねである。例えば、コイルばねは、コイル状に巻き回された線材の長手方向の一端（第一端）と、その反対側の他端（第二端）とが、その接線方向に直線状に伸びるように形成される。第一端と第二端とのなす角度は、所定の角度である。このコイルばねは、コイル中心に回動軸３１が通された状態で、一端がフラップ３０の背面に当接し、他端が郵便受け本体２の内面に当接するようにして取り付けられ、これにより、フラップ３０を正面部２３の後面に向かって付勢する。
【００２６】
なお、付勢手段は設けられていなくてもよく、通常時にフラップ３０の自重によって前方に回動するように構成されてもよい。
【００２７】
口枠部４は、郵便受け本体２の正面部２３に設けられている。口枠部４は、正面部２３の前面から前方に向かって突出している。口枠部４は、図２に示すように、天板部４１・底板部４２・一対の側板部４４を有しており、前後方向に開口する筒形状をしている。口枠部４の前側の開口は、郵便受け１の投入口４５となる。口枠部４は、左右方向に長さを有し、上下方向に幅を有している。口枠部４の長さ方向の寸法は、正面部２３の左右方向の寸法と同じ寸法に形成されている。また、口枠部４は、正面視において、前開口２５の周囲を囲むようにして配置されている。
【００２８】
口枠部４の天板部４１の上面は、本体部６８の天面部２１の上面と面一である。また、口枠部４の側板部４４の外側の面は、本体部６８の側面部２０の外側の面と面一である。口枠部４は、例えば、ステンレス等の金属や、合成樹脂によって形成される。
【００２９】
口枠部４の投入口４５は、フラップ３０が開放すると、郵便受け本体２の前開口２５に通じる。すなわち、郵便物は、口枠部４の投入口４５を通って投入された後、フラップ３０を後方に押し込んで開放させ、前開口２５を通って、郵便受け本体２の内部に収容される。
【００３０】
口枠部４には、図３に示すように、縦面部５が設けられている。本実施形態の縦面部５は、表札５１であり、前面に氏名が表示される。なお、縦面部５が表札５１として用いら
れる場合には、縦面部５に氏名を直接表示してもよいし、氏名が記載されたプレートを縦面部５に固定してもよい。
【００３１】
本実施形態の縦面部５は表札５１であるが、例えば、インターフォンを設置するための設置台として用いてもよいし、住所を表示してもよい。また、縦面部５に、液晶ディスプレイを固定して、デジタル画像や文字を表示させてもよい。また、縦面部５を液晶ディスプレイによって構成してもよい。
【００３２】
縦面部５は、図４に示すように、口枠部４の内側（天板部４１・底板部４２・一対の側板部４４に囲まれた部分）の下部に設けられている。縦面部５は、正面視において、前開口２５に重ならないように配置される。縦面部５は、左右方向に長さを有し、上下方向に幅を有している。縦面部５の長さ方向の寸法は、口枠部４の内側の左右方向の全長に亙る寸法に形成されている（つまり、縦面部５は、口枠部４の左右方向の全長に亙って設けられている。）。
【００３３】
なお、ここで言う口枠部４の下部とは、口枠部４の上下方向の中央よりも下方を意味し、口枠部４の底板の上面（以下、内底面４３という）に接していなくてもよい。
【００３４】
また、縦面部５と口枠部４の底面との間には、水抜き用の隙間５２が形成されている。この水抜き用の隙間５２は、口枠部４の内底面４３と縦面部５の下端との間において左右方向の全長に亙って設けられている。また、口枠部４の内底面４３は、前方に向かうほど下方に位置するように傾斜している。これにより、仮に、縦面部５を越えて雨水が浸入しても、雨水は、水抜き用の隙間５２を通って、内底面４３を伝いながら流下し、口枠部４の外に排出される。
【００３５】
口枠部４の内側の上部には、照明部６が設けられている。照明部６は、縦面部５に向かって発光する。照明部６は、縦面部５よりも前方に配置されている。照明部６は、図５に示すように、導光棒６１と、光源６５と、筐体６７とを備えている。
【００３６】
導光棒６１は、図６に示すように、左右方向に長く形成されている（つまり、長手方向が口枠部４の左右方向に平行である）。導光棒６１の左右方向の両端面は入射面６０である（以下、必要に応じて、両端面のうちの一方を第１の入射面６２とし、他方を第２の入射面（図示せず）として区別する）。また、導光棒６１の上端には光拡散部６３が設けられており、導光棒６１の下方に臨む面が、出射面６４である。この導光棒６１の出射面６４は、縦面部５に向くように配置される。導光棒６１は、例えば、アクリルによって構成される。
【００３７】
光源６５は、入射面６０に対向するように配置されている。本実施形態の光源６５は、基板７３にＬＥＤ７４が実装されて構成されている。光源６５は２つ設けられている（以下、必要に応じて、第１の光源６６と、第２の光源（図示せず）として区別する）。第１の光源６６は、導光棒６１の第１の入射面６２に対向配置される。また第２の光源は、導光棒６１の第２の入射面に対向配置される。
【００３８】
筐体６７は、導光棒６１に沿って設けられた本体部６８と、光源６５を保持する光源保持部７０とを備えている。本体部６８は、図５に示すように、下方に開口する断面略Ｃ字状をしている。本体部６８の下方の開口には、透明板６９が取り付けられている。透明板６９は、導光棒６１の出射面６４に対向配置される。
【００３９】
光源保持部７０は、導光棒６１の入射面６０と光源６５との位置関係を相互に固定する。光源保持部７０は、図６に示すように、光源６５を保持する有底筒状の基台部７１と、
基台部７１に取り付けられて導光棒６１を支持する支持部７２とを備えている。基台部７１は、導光棒６１側に向かって開口する。基台部７１の奥面には、光源６５の基板７３が接触状態で取り付けられる。この基板７３は、光源６５における熱発生部であり、基台部７１に熱的に接続される。また、基台部７１は、口枠部４に熱的に接続される。これにより、光源６５から発生した熱は、基台部７１を介して口枠部４に伝導する。
【００４０】
また、支持部７２は、基台部７１に嵌め込み固定されている。支持部７２は、導光棒６１の端部を支持する。支持部７２は、透明な部材（例えば、アクリル）によって形成されている。これにより、光源６５から発せられた光は、支持部７２を透過して入射面６０に向かう。
【００４１】
光源６５から発せられた光は、入射面６０から入射し、導光棒６１内において全反射を繰り返しながら導光棒６１の長手方向に沿って進行する。この時、光拡散部６３に反射した光は乱反射し、出射面６４から出射する。この出射面６４から出射した光は、透明板６９を透過して縦面部５に向かう。これにより、光源６５から発せられた光は縦面部５を照らす。
【００４２】
このように、本実施形態の郵便受け１は、照明部６が縦面部５よりも前方に配置されているが、例えば、次のような態様で、照明部６が縦面部５よりも前方に配置されてもよい。
【００４３】
図７に示すように、縦面部５０は、上方に向かうほど後方に位置するように傾斜している。照明部６は、縦面部５０の上端の位置よりも前方に位置している。導光棒６１から発せられる光の向きは、縦面部５の前面に向いている。これにより、照明部６は、縦面部５を効果的に照らすことができる。
【００４４】
また、図８に示すような態様であってもよい。縦面部５の前方には、透明な表札板５３が配置される。透明な表札板５３の表面には、氏名等の文字が表示されている。表札板５３の後面には、導光パターンが設けられている。照明部６は、縦面部５よりも前方に配置され、且つ表札板５３の直上に位置している。
【００４５】
照明部６が発光すると、光は、表札板５３の上端面から表札板５３内に入射する。すると、光は、導光パターンに乱反射して、表札板５３の前面から出射する。これにより、表札板５３の文字は、後方から照らされて、浮き出るように表示される。これにより、意匠性を向上させることができる。
【００４６】
郵便受け１は、図３に示すように、外構用の門柱９１に埋め込まれるようにして設置される。門柱９１には、凹所９３と、凹所９３の奥面９４と門柱９１の前面とに開口した取付開口９５とが設けられている。凹所９３は、門柱９１の後面から凹没している。凹所９３は、門柱９１の肉厚の一部を残して形成される。取付開口９５は、正面視において口枠部４の外形と同じ大きさである。取付開口９５の上端面は凹所９３の上端面と同一平面上に位置している。
【００４７】
郵便受け１は、凹所９３の後方から前方に向かって挿入されることで設置される。このとき、口枠部４は、取付開口９５内に挿入される。また、郵便受け本体２の前面は凹所９３の奥面９４に当たり、この状態で、口枠部４の前端は、門柱９１の前面から突出する。
【００４８】
このような構成の郵便受け１は、降雨した場合であっても、郵便物が濡れないように構成されている。降雨すると、雨水は天板部４１に着水する。このとき、口枠部４が、前開口２５が設けられた正面部２３から前方に突出しているため、雨水がフラップ３０に付着
しにくい。しかも、風が強く吹いている場合であっても、口枠部４には縦面部５が設けられているため、仮に投入口４５から雨水が入り込んでも、縦面部５によって遮ることができる。この結果、雨水をフラップ３０にまで到着しにくくできる。
【００４９】
万が一、縦面部５を越えて雨水が浸入しても、図４に示すように、本実施形態の郵便受け１は、縦面部５の下端と口枠部４の底面との間には水抜き用の隙間５２が設けられているため、当該隙間５２を介して雨水を口枠部４の外部に排出できる。
【００５０】
このとき、雨水が縦面部５を越え、フラップ３０にまで到達した場合、フラップ３０が後方に回転すると、フラップ３０に付着した雨水が、郵便受け本体２内に入り込んでしまうことも考えられる。そこで、本実施形態の郵便受け１の内部には、図３に示すような雨水排出部８が設けられている。
【００５１】
雨水排出部８は、郵便受け本体２の正面部２３の後面に設けられている。雨水排出部８は、郵便受け本体２の正面部２３の後方に対向配置された内板８１と、前開口２５から入り込んだ雨水を内板８１と正面部２３との間に導くガイド板８２と、郵便受け本体２の底面部２２に設けられた水抜き孔８３とを備えている。
【００５２】
ガイド板８２は、前開口２５の周縁に設けられている。ガイド板８２は、後方に向かうほど下方に位置するように傾斜しており、これにより、雨水を内板８１と正面部２３との間に導く。
【００５３】
内板８１は、正面部２３の裏面とは離れて配置されている。内板８１の下端には切欠８４が設けられている。
【００５４】
フラップ３０に雨水が付着した状態で、当該フラップ３０が後方に回転すると、雨水は郵便受け本体２内で落下する。すると、雨水はガイド板８２に着水し、ガイド板８２の傾斜に沿って内板８１と正面部２３との間に流下する。この後、雨水は、郵便受け本体２の底面部２２上に流下し、切欠８４を介して水抜き孔８３から排出される。
【００５５】
以上、説明したように、本実施形態の郵便受け１は、箱状の郵便受け本体２と、口枠部４とを備えている。郵便受け本体２は、正面に前開口２５が設けられている。口枠部４の前端は、投入口４５である。口枠部４は、郵便受け本体２の前開口２５の周囲から前方に向かって突出しており、投入口４５が前開口２５に通じている。郵便受け本体２には、前開口２５を塞ぐフラップ３０が設けられている。
【００５６】
このように本実施形態の郵便受け１は、フラップ３０の周囲から口枠部４が突出しているため、フラップ３０に雨水が付着しにくくできる。このため本実施形態の郵便受け１によれば、フラップ３０によって郵便受け本体２内に雨水が浸水するのを防ぐことができるだけでなく、雨水がフラップ３０に付着するのをできる限り防ぐことができる。この結果、本実施形態の郵便受け１によれば、郵便物が濡れるのを防ぐことができる。
【００５７】
また、本実施形態の郵便受け１は、上記の特徴に加えて、以下の特徴を有する。なお、以下の特徴は、任意に組み合わせることができるものであって、必ずしも必要な要件ではない。
【００５８】
本実施形態の郵便受け１は、口枠部４の内側の下部に、当該口枠部４の左右方向の全長に亙って設けられた縦面部５が設けられている。
【００５９】
このため、本実施形態の郵便受け１によれば、縦面部５によっても雨水を遮ることがで
き、より一層、フラップ３０に雨水が付着するのを防ぐことができる。
【００６０】
また、本実施形態の郵便受け１は、口枠部４の内側の底面と縦面部５との間には、水抜き用の隙間５２が形成されている。
【００６１】
このため、本実施形態の郵便受け１によれば、仮に、縦面部５を越えて雨水が浸入した場合であっても、水抜き用の隙間５２を介して雨水を口枠部４の外部に排出することができる。
【００６２】
また、本実施形態の郵便受け１において縦面部５は表札５１である。
【００６３】
このため、本実施形態の郵便受け１によれば、表札５１と郵便受け１とを一体にすることができ、外構の外観をシンプルにすることができる。
【００６４】
また、本実施形態の郵便受け１は、口枠部４の内側の上部で、且つ縦面部５よりも前方には、当該縦面部５に向かって発光する照明部６が設けられている。
【００６５】
このため、本実施形態の郵便受け１によれば、口枠部４の内部に縦面部５が設けられることで、縦面部５に、街灯等の光が届きにくくなったり、口枠部４の影に重なったりしても、縦面部５の表示が見えづらくなるのを防ぐことができる。
【００６６】
また本実施形態の照明部６は、口枠部４の左右方向に平行な導光棒６１と、この導光棒６１の左右方向の端面から光を入射させる光源６５とを備えている。導光棒６１における縦面部５に向く面は出射面６４である。
【００６７】
このため、本実施形態の郵便受け１によれば、例えば光源６５が点光源６５であったとしても、線状に発光させることができ、縦面部５を効果的に照明することができる。
【００６８】
また、本実施形態の光源６５は、口枠部４に熱的に接続され、これにより当該口枠部４を介して放熱するように構成されている。
【００６９】
このため、本実施形態の郵便受け１によれば、光源６５が発熱しても、口枠部４を介して放熱させることができ、光源６５が熱の影響を受けるのを防ぐことができる。
（実施形態２）
次に、実施形態２について図９に基づいて説明する。なお、実施形態２は実施形態１と大部分において同じであるため、同じ部分においては同符号を付して説明を省略し、主に異なる部分について説明する。
【００７０】
実施形態１の郵便受け１は、外構用の門柱９１に埋め込まれて取り付けられていた。これに対し、実施形態２の郵便受け１は、ポール９２上に設置される。なお、実施形態２の郵便受け１は、実施形態１の郵便受け１と同じ構造である。
【００７１】
ポール９２は、上下方向に長さを有している。ポール９２の下端は、地面に埋め込まれている。郵便受け１は、ポール９２の上端に載せられた状態で固定されている。
【００７２】
本実施形態の郵便受け１によれば、郵便受け本体２内に雨水が浸水するのを防ぐことができ、その上、雨水がフラップ３０に付着するのをできる限り防ぐことができる。この結果、郵便物が濡れるのを防ぐことができる。
【符号の説明】
【００７３】
１      郵便受け
２      郵便受け本体
２３    正面部
２５    前開口
３０    フラップ
４      口枠部
４１    天板部
４２    底板部
４３    内底面
４５    投入口
５      縦面部
５１    表札
５２    水抜き用の隙間
６      照明部
６１    導光棒
６４    出射面
６５    光源
【図１】
2015186562.tif 000003
【図２】
2015186562.tif 000004
【図３】
2015186562.tif 000005
【図４】
2015186562.tif 000006
【図５】
2015186562.tif 000007
【図６】
2015186562.tif 000008
【図７】
2015186562.tif 000009
【図８】
2015186562.tif 000010
【図９】
2015186562.tif 000011